(57)【要約】      （修正有）【課題】長尺用紙を用いて給紙と画像形成と排紙をする際に、途中で画像形成する別画像を排紙側に巻き取らないようにすることができる画像形成システムを提供する。【解決手段】定型サイズの用紙よりも搬送方向に長い長尺用紙を給紙する給紙装置５０と、給紙装置から給紙される長尺用紙を搬送しつつ画像データに基づいて画像形成する画像形成装置１００と、長尺用紙を巻き取る排紙装置２００と、給紙装置と画像形成装置と排紙装置とを制御する制御部１０１とを有し、制御部は、長尺用紙を一定速度で搬送しつつ前記画像データに基づいて画像形成するように給紙装置と画像形成装置と排紙装置とを制御して、画像データに基づく画像形成の途中で画像データ以外の別画像データを用いて別画像の画像形成を実行する際には長尺用紙の搬送を一時停止させるよう制御し、長尺用紙の搬送の一時停止状態において別画像が形成された領域が切断されるようにする。【選択図】図１
2016120672.tif 000002
【特許請求の範囲】
【請求項１】
定型サイズの用紙よりも搬送方向の用紙長が長い長尺用紙を給紙する給紙装置と、
前記給紙装置から給紙される前記長尺用紙を搬送しつつ画像データに基づいて画像形成する画像形成装置と、
画像形成された前記長尺用紙を巻き取る排紙装置と、
前記給紙装置と前記画像形成装置と前記排紙装置とを制御する制御装置と、を有し、
前記制御装置は、
前記長尺用紙を一定速度で搬送しつつ前記画像データに基づいて画像形成するように前記給紙装置と前記画像形成装置と前記排紙装置とを制御し、
前記画像データに基づく画像形成の途中で前記画像データ以外の別画像データを用いて別画像の画像形成を実行する際には前記長尺用紙の搬送を一時停止させるよう制御し、
前記長尺用紙の搬送の一時停止状態において前記別画像が形成された領域が切断されるように制御する、
ことを特徴とする画像形成システム。
【請求項２】
前記制御装置は、前記別画像データを用いて別画像の画像形成を実行した場合に、前記長尺用紙に前記別画像が形成された領域が前記排紙装置に巻き取られる前に前記排紙装置での前記長尺用紙の巻き取りを停止するよう制御する、
ことを特徴とする請求項１に記載の画像形成システム。
【請求項３】
前記制御装置は、前記別画像データを用いて別画像の画像形成を実行した場合に、前記長尺用紙に前記別画像が形成された領域が前記排紙装置に巻き取られる前に前記排紙装置での前記長尺用紙の巻き取りを停止するように制御すると共に、前記長尺用紙に前記別画像が形成された領域が前記画像形成装置の外に出るように前記長尺用紙の搬送を制御する、
ことを特徴とする請求項１に記載の画像形成システム。
【請求項４】
前記制御装置は、前記長尺用紙に前記別画像が形成された領域が前記画像形成装置の外に出た状態で前記長尺用紙の搬送を一時停止させる、
ことを特徴とする請求項３に記載の画像形成システム。
【請求項５】
前記制御装置の制御に基づいて各種表示を実行する表示部を備え、
前記制御装置は、前記別画像が形成された領域を除去するよう促す表示、又は、前記別画像が形成された領域が除去されたか否かの確認の表示、の少なくとも一方を前記表示部に表示する、
ことを特徴とする請求項１乃至請求項４のいずれか一項に記載の画像形成システム。
【請求項６】
長尺用紙を切断する切断部を備え、
前記制御装置は、前記長尺用紙の搬送を一時停止させた状態で前記長尺用紙に前記別画像が形成された領域の先端側の端部を切断すると共に、前記長尺用紙の搬送を一時停止させた状態で前記長尺用紙に前記別画像が形成された領域の後端側の端部を切断するように、前記切断部を制御する、
ことを特徴とする請求項１乃至請求項５のいずれか一項に記載の画像形成システム。
【請求項７】
前記制御装置は、前記別画像データを用いて別画像の画像形成を実行した場合に一時停止した前記長尺用紙の搬送を一時的に再開し、前記別画像が形成された領域が除かれた後続の前記長尺用紙の先端を前記排紙装置にセットするのに必要な長さの前記長尺用紙を、前記画像形成装置の外に出した状態にしてから前記長尺用紙の搬送を再び一時停止させるように制御し、
前記長尺用紙の搬送の一時停止状態において前記長尺用紙がセットされるように制御する、
ことを特徴とする請求項１乃至請求項６のいずれか一項に記載の画像形成システム。
【請求項８】
前記制御装置の制御に基づいて各種表示を実行する表示部を備え、
前記制御装置は、前記別画像の領域が除かれた後続の前記長尺用紙をセットするよう促す表示、又は、前記別画像の領域が除かれた後続の前記長尺用紙がセットされたか否かの確認の表示、の少なくとも一方を前記表示部に行う、
ことを特徴とする請求項１乃至請求項７のいずれか一項に記載の画像形成システム。
【請求項９】
切断された前記長尺用紙の先端を前記排紙装置にセットする接続部を備え、
前記制御装置は、前記別画像の領域が除かれた後続の前記長尺用紙の先端を前記排紙装置にセットするように前記接続部を制御する、
ことを特徴とする請求項１乃至請求項８のいずれか一項に記載の画像形成システム。
【請求項１０】
前記制御装置は、前記別画像が形成された領域が除かれた後続の前記長尺用紙の先端が前記排紙装置にセットされた場合に、前記給紙装置による給紙及び前記画像形成装置による画像形成並びに前記排紙装置による巻き取りを再開するよう制御する、
ことを特徴とする請求項１乃至請求項９のいずれか一項に記載の画像形成システム。
【請求項１１】
給紙装置と排紙装置とにセットされることで画像形成システムを構成可能であり、前記給紙装置と前記排紙装置とを制御する制御部を備え、定型サイズの用紙よりも搬送方向の用紙長が長い長尺用紙を前記給紙装置から給紙され、当該長尺用紙を搬送しつつ画像データに基づいて画像形成し、画像形成された前記長尺用紙を前記排紙装置に出力する画像形成装置であって、
前記制御部は、前記長尺用紙を一定速度で搬送しつつ前記画像データに基づいて画像形成するように前記給紙装置と前記画像形成装置と前記排紙装置とを制御し、
前記画像データに基づく画像形成の途中で前記画像データ以外の別画像データを用いて別画像の画像形成を実行する際には前記長尺用紙の搬送を一時停止させるよう制御し、
前記長尺用紙の搬送の一時停止状態において前記別画像が形成された領域が切断されるように制御する、
ことを特徴とする画像形成装置。
【請求項１２】
前記制御部は、前記別画像データを用いて別画像の画像形成を実行した場合に、前記長尺用紙に前記別画像が形成された領域が前記排紙装置に巻き取られる前に前記排紙装置での前記長尺用紙の巻き取りを停止するよう制御する、
ことを特徴とする請求項１１に記載の画像形成装置。
【請求項１３】
前記制御部は、前記別画像データを用いて別画像の画像形成を実行した場合に、前記長尺用紙に前記別画像が形成された領域が前記排紙装置に巻き取られる前に前記排紙装置での前記長尺用紙の巻き取りを停止するように制御すると共に、前記長尺用紙に前記別画像が形成された領域が前記画像形成装置の外に出るように前記長尺用紙の搬送を制御する、
ことを特徴とする請求項１１に記載の画像形成装置。
【請求項１４】
前記制御部は、前記長尺用紙に前記別画像が形成された領域が前記画像形成装置の外に出た状態で前記長尺用紙の搬送を一時停止させる、
ことを特徴とする請求項１３に記載の画像形成装置。
【請求項１５】
前記制御部の制御に基づいて各種表示を実行する表示部を備え、
前記制御部は、前記長尺用紙に前記別画像が形成された領域が除去されたか否かの確認の表示を前記表示部に行う、
ことを特徴とする請求項１１乃至請求項１４のいずれか一項に記載の画像形成装置。
【請求項１６】
切断する切断部が接続可能であって、
前記制御部は、前記長尺用紙の搬送を一時停止させた状態で前記長尺用紙に前記別画像が形成された領域の先端側の端部を切断すると共に、前記長尺用紙の搬送を一時停止させた状態で前記長尺用紙に前記別画像が形成された領域の後端側の端部を切断するように、前記切断部を制御する、
ことを特徴とする請求項１１乃至請求項１５のいずれか一項に記載の画像形成装置。
【請求項１７】
前記制御部は、前記別画像データを用いて別画像の画像形成を実行した場合に一時停止した前記長尺用紙の搬送を一時的に再開し、前記別画像が形成された領域が除かれた後続の前記長尺用紙の先端を前記排紙装置にセットするのに必要な長さの前記長尺用紙を、前記画像形成装置の外に出した状態にしてから前記長尺用紙の搬送を再び一時停止させるように制御し、前記長尺用紙の搬送の一時停止状態において前記長尺用紙がセットされるように制御する、
ことを特徴とする請求項１１乃至請求項１６のいずれか一項に記載の画像形成装置。
【請求項１８】
前記制御部の制御に基づいて各種表示を実行する表示部を備え、
前記制御部は、前記別画像の領域が除かれた後続の前記長尺用紙がセットされたか否かの確認の表示を前記表示部に行う、
ことを特徴とする請求項１１乃至請求項１７のいずれか一項に記載の画像形成装置。
【請求項１９】
切断された前記長尺用紙の先端を前記排紙装置にセットする接続部が接続可能であって、
前記制御部は、前記別画像の領域が除かれた後続の前記長尺用紙の先端を前記排紙装置にセットするように前記接続部を制御する、
ことを特徴とする請求項１１乃至請求項１８のいずれか一項に記載の画像形成装置。
【請求項２０】
前記制御部は、前記別画像が形成された領域が除かれた後続の前記長尺用紙の先端が前記排紙装置にセットされた場合に、前記給紙装置による給紙及び前記画像形成装置による画像形成並びに前記排紙装置による巻き取りを再開するよう制御する、
ことを特徴とする請求項１１乃至請求項１９のいずれか一項に記載の画像形成装置。
【請求項２１】
定型サイズの用紙よりも搬送方向の用紙長が長い長尺用紙を給紙する給紙装置と、前記給紙装置から給紙される前記長尺用紙を搬送しつつ画像データに基づいて画像形成する画像形成装置と、画像形成された前記長尺用紙を巻き取る排紙装置と、を有する画像形成システムを制御する画像形成制御方法であって、
前記長尺用紙を一定速度で搬送しつつ前記画像データに基づいて画像形成するように前記給紙装置と前記画像形成装置と前記排紙装置とを制御しており、
別画像データを用いて別画像の画像形成を実行した場合に、前記長尺用紙に前記別画像が形成された領域が前記排紙装置に巻き取られる前に前記排紙装置での前記長尺用紙の巻き取りを停止させると共に、前記長尺用紙に前記別画像が形成された領域が前記画像形成装置の外に出た状態で前記長尺用紙の搬送を一時停止させるよう制御し、
前記長尺用紙の搬送の一時停止状態において前記別画像が形成された領域が切断されるように制御する、
ことを特徴とする画像形成制御方法。
【請求項２２】
前記別画像データを用いて別画像の画像形成を実行した場合に一時停止した前記長尺用紙の搬送を一時的に再開し、前記別画像が形成された領域が除かれた後続の前記長尺用紙の先端を前記排紙装置にセットするのに必要な長さの前記長尺用紙を、前記画像形成装置の外に出した状態にしてから前記長尺用紙の搬送を再び一時停止させ、前記長尺用紙の搬送の一時停止状態において前記長尺用紙がセットされるように制御する、
ことを特徴とする請求項２１に記載の画像形成制御方法。
【請求項２３】
前記別画像が形成された領域が除かれた後続の前記長尺用紙の先端が前記排紙装置にセットされた場合に、前記給紙装置による給紙及び前記画像形成装置による画像形成並びに前記排紙装置による巻き取りを再開するよう制御する、
ことを特徴とする請求項２２に記載の画像形成制御方法。
【請求項２４】
給紙装置と画像形成装置と排紙装置と制御装置とを有する画像形成システムを制御する画像形成制御プログラムであって、
前記給紙装置と前記画像形成装置と前記排紙装置と前記制御装置とをそれぞれ、
定型サイズの用紙よりも搬送方向の用紙長が長い長尺用紙を給紙する給紙装置、
前記給紙装置から給紙される前記長尺用紙を一定速度で搬送しつつ搬送しつつ画像データに基づいて画像形成する画像形成装置、
画像形成された前記長尺用紙を巻き取る排紙装置、
通常時において前記長尺用紙を一定速度で搬送しつつ前記画像データに基づいて画像形成するように前記給紙装置と前記画像形成装置と前記排紙装置とを制御しており、前記画像形成装置が別画像データを用いて別画像の画像形成を実行した場合に、前記長尺用紙に前記別画像が形成された領域が前記排紙装置に巻き取られる前に前記排紙装置での前記長尺用紙の巻き取りを停止させると共に、前記長尺用紙に前記別画像が形成された領域が前記画像形成装置の外に出た状態で前記長尺用紙の搬送を一時停止させるよう制御し、前記長尺用紙の搬送の一時停止状態において前記別画像が形成された領域が切断されるように制御する制御装置、
として画像形成システムのコンピュータを機能させる画像形成制御プログラム。
【請求項２５】
前記制御装置は、前記別画像データを用いて別画像の画像形成を実行した場合に一時停止した前記長尺用紙の搬送を一時的に再開し、前記別画像が形成された領域が除かれた後続の前記長尺用紙の先端を前記排紙装置にセットするのに必要な長さの前記長尺用紙を、前記画像形成装置の外に出した状態にしてから前記長尺用紙の搬送を再び一時停止させ、前記長尺用紙の搬送の一時停止状態において前記長尺用紙がセットされるようにする、
ように画像形成システムのコンピュータを機能させることを特徴とする請求項２４に記載の画像形成制御プログラム。
【請求項２６】
前記制御装置は、前記別画像が形成された領域が除かれた後続の前記長尺用紙の先端が前記排紙装置にセットされた場合に、前記給紙装置による給紙及び前記画像形成装置による画像形成並びに前記排紙装置による巻き取りを再開させる、
ように画像形成システムのコンピュータを機能させることを特徴とする請求項２５に記載の画像形成制御プログラム。
【発明の詳細な説明】
【技術分野】
【０００１】
本発明は、画像形成システム、画像形成装置、画像形成制御方法及び画像形成制御プログラムに関する。特に、連続紙又はロール紙等の長尺用紙を用いて画像形成を実行している途中において別の画像形成を実行する際の技術に関する。
【背景技術】
【０００２】
画像データに基づいて画像形成するプリンタ等の画像形成装置では、Ａ４やＢ４といった所定の定型サイズにカットされたカット紙と呼ばれる用紙に対して画像を形成することが一般的である。
一方、この種の画像形成装置において、連続紙又はロール紙と呼ばれる、定型サイズの用紙よりも搬送方向の用紙長が長い長尺用紙に画像を形成することも可能である。なお、このような長尺用紙は、宛名やシリアル番号や商品表示などのシール形式のラベルを繰り返し印刷するといった用途で使用されることが多い。
【０００３】
なお、画像形成装置において、画像形成される濃度や画像形成される位置を適正な状態に保つため、一定周期毎に、通常画像データ以外の調整用の画像データを用いて調整用画像（調整用チャート）を形成し、この調整用チャートをセンサで読み取って、画像形成濃度や画像形成位置の補正を行うことが行われる。
【０００４】
なお、感光体に調整用チャートを形成して読み取り、用紙に調整用チャートを転写しない手法も存在するが、実際に用紙に転写された調整用チャートを読み取らないと正確な測定ができないことがある。
この場合、定型サイズのカット紙であれば、画像形成中に実行した調整用画像の用紙のみを通常の用紙から分離することで、出力結果物（通常の画像形成がなされた用紙群）に何ら問題は生じない。
【０００５】
ところが、長尺用紙を用いて給紙・画像形成・排紙（長尺用紙のままの巻き取り）を行う画像形成装置の場合、出力結果物の中に調整用チャートが混入してしまう問題が生じる。
しかし、一定量の画像形成を実行する毎に調整用画像を用いた画像濃度や画像位置の調整を実行しないと、所望の画質を維持できない恐れもある。
【０００６】
なお、長尺用紙を用いた画像形成装置における調整用画像の出力については、以下の特許文献などに各種の提案がなされている。
【先行技術文献】
【特許文献】
【０００７】
【特許文献１】特開2006-84796号公報
【発明の概要】
【発明が解決しようとする課題】
【０００８】
以上の特許文献１では、第１段階として、長尺用紙の主走査余白に調整用チャートを印刷し、その調整用チャートを測定することが提案されている。さらに、その調整用チャートの測定結果により、第２段階として画像間隔をあけて、副走査方向（搬送方向）に間隔を空けて、主走査方向の中央付近に調整用チャートを印刷することが提案されている。
【０００９】
この特許文献１によると、調整用チャートをカットして除去するとの提案はなされておらず、調整用チャートを含めて長尺用紙を排紙側で巻き取っていると考えられる。
このような場合、後工程で長尺用紙がラベルに加工（切り抜き）される場合に、通常ジョブ以外の調整用チャートの画像もラベル化されるおそれがある。すなわち、調整用チャートが排紙側で巻き取られる自体が問題である。
【００１０】
すなわち、長尺用紙を用いて給紙・画像形成・排紙（長尺用紙のままの巻き取り）を行う画像形成装置であって、通常画像形成の途中に調整用チャートを形成した場合に、出力結果物の中に調整用チャートが混入してしまう問題を避ける手法は存在していなかった。
なお、以上は調整用チャートの問題であったが、通常の画像を形成中に別画像の形成を割り込ませた場合にも、全く同じ問題が発生することになる。ここで、別画像とは、少数の割り込み出力用の画像や、次ジョブのサンプル出力の画像が該当する。
【００１１】
本発明は、ロール状の長尺用紙を用いて給紙と画像形成と排紙（巻き取り）とを実行する際に、通常の画像形成の途中で別画像の画像形成を実行したとしても、別画像を排紙側に巻き取らないようにすることが可能な画像形成システム、画像形成装置、画像形成制御方法及び画像形成制御プログラムを提供することを目的とする。
【課題を解決するための手段】
【００１２】
すなわち、前記した課題を解決するため、本発明の一側面が反映された画像形成システム、画像形成装置、画像形成制御方法及び画像形成制御プログラムは、以下のように構成される。
（１）定型サイズの用紙よりも搬送方向の用紙長が長い長尺用紙を給紙する給紙装置と、前記給紙装置から給紙される前記長尺用紙を搬送しつつ画像データに基づいて画像形成する画像形成装置と、画像形成された前記長尺用紙を巻き取る排紙装置と、前記給紙装置と前記画像形成装置と前記排紙装置とを制御する制御装置と、を有し、前記制御装置は、前記長尺用紙を一定速度で搬送しつつ前記画像データに基づいて画像形成するように前記給紙装置と前記画像形成装置と前記排紙装置とを制御して、前記画像データに基づく画像形成の途中で前記画像データ以外の別画像データを用いて別画像の画像形成を実行する際には前記長尺用紙の搬送を一時停止させるよう制御し、前記長尺用紙の搬送の一時停止状態において前記別画像が形成された領域が切断されるように制御する。
【００１３】
また、給紙装置と排紙装置とにセットされることで画像形成システムを構成可能であり、前記給紙装置と前記排紙装置とを制御する制御部を備え、定型サイズの用紙よりも搬送方向の用紙長が長い長尺用紙を前記給紙装置から給紙され、当該長尺用紙を搬送しつつ画像データに基づいて画像形成し、画像形成された前記長尺用紙を前記排紙装置に出力する画像形成装置であって、前記制御部は、前記長尺用紙を一定速度で搬送しつつ前記画像データに基づいて画像形成するように前記給紙装置と前記画像形成装置と前記排紙装置とを制御し、前記画像データに基づく画像形成の途中で前記画像データ以外の別画像データを用いて別画像の画像形成を実行する際には前記長尺用紙の搬送を一時停止させるよう制御し、前記長尺用紙の搬送の一時停止状態において前記別画像が形成された領域が切断されるように制御する。
【００１４】
（２）以上の（１）において、前記制御装置は、前記別画像データを用いて別画像の画像形成を実行した場合に、前記長尺用紙に前記別画像が形成された領域が前記排紙装置に巻き取られる前に前記排紙装置での前記長尺用紙の巻き取りを停止するよう制御する。
（３）以上の（１）において、前記制御装置は、前記別画像データを用いて別画像の画像形成を実行した場合に、前記長尺用紙に前記別画像が形成された領域が前記排紙装置に巻き取られる前に前記排紙装置での前記長尺用紙の巻き取りを停止するように制御すると共に、前記長尺用紙に前記別画像が形成された領域が前記画像形成装置の外に出るように前記長尺用紙の搬送を制御する。
【００１５】
（４）以上の（３）において、前記制御装置は、前記長尺用紙に前記別画像が形成された領域が前記画像形成装置の外に出た状態で前記長尺用紙の搬送を一時停止させる。
（５）以上の（１）−（４）において、前記制御装置の制御に基づいて各種表示を実行する表示部を備え、前記制御装置は、前記別画像が形成された領域を除去するよう促す表示、又は、前記別画像が形成された領域が除去されたか否かの確認の表示、の少なくとも一方を前記表示部に表示する。
【００１６】
（６）以上の（１）−（５）において、長尺用紙を切断する切断部を備え、前記制御装置は、前記長尺用紙の搬送を一時停止させた状態で前記長尺用紙に前記別画像が形成された領域の先端側の端部を切断すると共に、前記長尺用紙の搬送を一時停止させた状態で前記長尺用紙に前記別画像が形成された領域の後端側の端部を切断するように、前記切断部を制御する。
【００１７】
（７）以上の（１）−（６）において、前記制御装置は、前記別画像データを用いて別画像の画像形成を実行した場合に一時停止した前記長尺用紙の搬送を一時的に再開し、前記別画像が形成された領域が除かれた後続の前記長尺用紙の先端を前記排紙装置にセットするのに必要な長さの前記長尺用紙を、前記画像形成装置の外に出した状態にしてから前記長尺用紙の搬送を再び一時停止させ、前記長尺用紙の搬送の一時停止状態において前記長尺用紙がセットされるように制御する。
【００１８】
（８）以上の（１）−（７）において、前記制御装置の制御に基づいて各種表示を実行する表示部を備え、前記制御装置は、前記別画像の領域が除かれた後続の前記長尺用紙をセットするよう促す表示、又は、前記別画像の領域が除かれた後続の前記長尺用紙がセットされたか否かの確認の表示、の少なくとも一方を前記表示部に行う。
【００１９】
（９）以上の（１）−（８）において、切断された前記長尺用紙の先端を前記排紙装置にセットする接続部を備え、前記制御装置は、前記別画像の領域が除かれた後続の前記長尺用紙の先端を前記排紙装置にセットするように前記接続部を制御する。
（１０）以上の（１）−（９）において、前記制御装置は、前記別画像が形成された領域が除かれた後続の前記長尺用紙の先端が前記排紙装置にセットされた場合に、前記給紙装置による給紙及び前記画像形成装置による画像形成並びに前記排紙装置による巻き取りを再開するよう制御する。
【００２０】
（１１）定型サイズの用紙よりも搬送方向の用紙長が長い長尺用紙を給紙する給紙装置と、前記給紙装置から給紙される前記長尺用紙を搬送しつつ画像データに基づいて画像形成する画像形成装置と、画像形成された前記長尺用紙を巻き取る排紙装置と、を有する画像形成システムを制御する画像形成制御方法であって、前記長尺用紙を一定速度で搬送しつつ前記画像データに基づいて画像形成するように前記給紙装置と前記画像形成装置と前記排紙装置とを制御し、別画像データを用いて別画像の画像形成を実行した場合に、前記長尺用紙に前記別画像が形成された領域が前記排紙装置に巻き取られる前に前記排紙装置での前記長尺用紙の巻き取りを停止させると共に、前記長尺用紙に前記別画像が形成された領域が前記画像形成装置の外に出た状態で前記長尺用紙の搬送を一時停止させるよう制御し、前記長尺用紙の搬送の一時停止状態において前記別画像が形成された領域が切断されるように制御する。
【００２１】
また、給紙装置と画像形成装置と排紙装置と制御装置とを有する画像形成システムを制御する画像形成制御プログラムであって、前記給紙装置と前記画像形成装置と前記排紙装置と前記制御装置とをそれぞれ、定型サイズの用紙よりも搬送方向の用紙長が長い長尺用紙を給紙する給紙装置、前記給紙装置から給紙される前記長尺用紙を一定速度で搬送しつつ搬送しつつ画像データに基づいて画像形成する画像形成装置、画像形成された前記長尺用紙を巻き取る排紙装置、通常時において前記長尺用紙を一定速度で搬送しつつ前記画像データに基づいて画像形成するように前記給紙装置と前記画像形成装置と前記排紙装置とを制御しており、前記画像形成装置が別画像データを用いて別画像の画像形成を実行した場合に、前記長尺用紙に前記別画像が形成された領域が前記排紙装置に巻き取られる前に前記排紙装置での前記長尺用紙の巻き取りを停止させると共に、前記長尺用紙に前記別画像が形成された領域が前記画像形成装置の外に出た状態で前記長尺用紙の搬送を一時停止させるよう制御し、前記長尺用紙の搬送の一時停止状態において前記別画像が形成された領域が切断されるように制御する制御装置、として画像形成システムのコンピュータを機能させる。
【００２２】
（１２）以上の（１１）において、前記別画像データを用いて別画像の画像形成を実行した場合に一時停止した前記長尺用紙の搬送を一時的に再開し、前記別画像が形成された領域が除かれた後続の前記長尺用紙の先端を前記排紙装置にセットするのに必要な長さの前記長尺用紙を、前記画像形成装置の外に出した状態にしてから前記長尺用紙の搬送を再び一時停止させ、前記長尺用紙の搬送の一時停止状態において前記長尺用紙がセットされるように制御する。
【００２３】
（１３）以上の（１２）において、別画像が形成された領域が除かれた後続の前記長尺用紙の先端が前記排紙装置にセットされた場合に、前記給紙装置による給紙及び前記画像形成装置による画像形成並びに前記排紙装置による巻き取りを再開するよう制御する。
【発明の効果】
【００２４】
本発明の一側面が反映された画像形成システム、画像形成装置、画像形成制御方法及び画像形成制御プログラムによると、以下のような効果が得られる。
（１）長尺用紙を一定速度で搬送しつつ画像データに基づいて画像形成するように給紙装置と画像形成装置と排紙装置とを制御し、画像データに基づく画像形成の途中で画像データ以外の別画像データを用いて別画像の画像形成を実行する際には長尺用紙の搬送を一時停止させるよう制御し、前記長尺用紙の搬送の一時停止状態において前記別画像が形成された領域が切断されるように制御することで、通常の画像形成の途中で別画像の画像形成を実行しても、別画像を排紙側に巻き取らないようにすることが可能になる。
【００２５】
（２）以上の（１）において、別画像データを用いて別画像の画像形成を実行した場合に、長尺用紙に別画像が形成された領域が排紙装置に巻き取られる前に排紙装置での長尺用紙の巻き取りを停止するよう制御することで、通常の画像形成の途中で別画像の画像形成を実行しても、確実に別画像を排紙側に巻き取らないようにすることが可能になる。
【００２６】
（３）以上の（１）において、別画像データを用いて別画像の画像形成を実行した場合に、長尺用紙に別画像が形成された領域が排紙装置に巻き取られる前に排紙装置での長尺用紙の巻き取りを停止するように制御すると共に、長尺用紙に別画像が形成された領域が画像形成装置の外に出るように長尺用紙の搬送を制御することで、通常の画像形成の途中で別画像の画像形成を実行しても、確実に別画像を排紙側に巻き取らないようにすることが可能になる。
【００２７】
（４）以上の（３）において、長尺用紙に別画像が形成された領域が画像形成装置の外に出た状態で長尺用紙の搬送を一時停止させることで、通常の画像形成の途中で別画像の画像形成を実行しても、確実に別画像を排紙側に巻き取らないようにすることが可能になる。
【００２８】
（５）以上の（１）−（４）において、別画像が形成された領域を除去するよう促す表示、又は、別画像が形成された領域が除去されたか否かの確認の表示、の少なくとも一方を表示部に表示する、ことで、ユーザが別画像を除去することが可能になり、通常の画像形成の途中で別画像の画像形成を実行しても、確実に別画像を排紙側に巻き取らないようにすることが可能になる。
【００２９】
（６）以上の（１）−（５）において、長尺用紙を切断する切断部を備え、長尺用紙の搬送を一時停止させた状態で長尺用紙に別画像が形成された領域の先端側の端部を切断すると共に、長尺用紙の搬送を一時停止させた状態で長尺用紙に別画像が形成された領域の後端側の端部を切断するように、切断部を制御することで、別画像を除去することが可能になり、通常の画像形成の途中で別画像の画像形成を実行しても、確実に別画像を排紙側に巻き取らないようにすることが可能になる。
【００３０】
（７）以上の（１）−（６）において、別画像データを用いて別画像の画像形成を実行した場合に一時停止した長尺用紙の搬送を一時的に再開し、別画像が形成された領域が除かれた後続の長尺用紙の先端を前記排紙装置にセットするのに必要な長さの長尺用紙を、画像形成装置の外に出した状態にしてから長尺用紙の搬送を再び一時停止させ、長尺用紙の搬送の一時停止状態において長尺用紙がセットされるように制御することで、別画像を除去した状態の長尺用紙をセットすることが可能になり、通常の画像形成の途中で別画像の画像形成を実行しても、確実に別画像を排紙側に巻き取らないようにすることが可能になる。
【００３１】
（８）以上の（１）−（７）において、制御装置の制御に基づいて各種表示を実行する表示部を備え、別画像の領域が除かれた長尺用紙をセットするよう促す表示、又は、別画像の領域が除かれた長尺用紙がセットされたか否かの確認の表示、の少なくとも一方を表示部に行うことで、別画像を除去した状態の長尺用紙をセットすることが可能になり、通常の画像形成の途中で別画像の画像形成を実行しても、確実に別画像を排紙側に巻き取らないようにすることが可能になる。
【００３２】
（９）以上の（１）−（８）において、切断された長尺用紙の先端を前記排紙装置にセットする接続部を備え、別画像の領域が除かれた後続の長尺用紙の先端を前記排紙装置にセットするように接続部を制御することで、別画像を除去した状態の長尺用紙をセットすることが可能になり、通常の画像形成の途中で別画像の画像形成を実行しても、確実に別画像を排紙側に巻き取らないようにすることが可能になる。
【００３３】
（１０）以上の（１）−（９）において、別画像が形成された領域が除かれた後続の長尺用紙の先端が前記排紙装置にセットされた場合に、給紙装置による給紙及び画像形成装置による画像形成並びに排紙装置による巻き取りを再開するよう制御することで、別画像が除去されてセットされた状態の長尺用紙を使用して通常の画像形成動作が可能になり、通常の画像形成の途中で別画像の画像形成を実行しても、確実に別画像を排紙側に巻き取らないようにすることが可能になる。
【００３４】
（１１）長尺用紙を一定速度で搬送しつつ画像データに基づいて画像形成するように給紙装置と画像形成装置と排紙装置とを制御しており、別画像データを用いて別画像の画像形成を実行した場合に、長尺用紙に別画像が形成された領域が排紙装置に巻き取られる前に排紙装置での長尺用紙の巻き取りを停止させると共に、長尺用紙に別画像が形成された領域が画像形成装置の外に出た状態で長尺用紙の搬送を一時停止させることで、別画像の除去及び別画像除去後の長尺用紙セットが可能になり、通常の画像形成の途中で別画像の画像形成を実行しても、確実に別画像を排紙側に巻き取らないようにすることが可能になる。
【００３５】
（１２）以上の（１１）において、別画像データを用いて別画像の画像形成を実行した場合に一時停止した長尺用紙の搬送を一時的に再開し、別画像が形成された領域が除かれた後続の長尺用紙の先端を前記排紙装置にセットするのに必要な長さの長尺用紙を、画像形成装置の外に出した状態にしてから長尺用紙の搬送を再び一時停止させ、長尺用紙の搬送の一時停止状態において長尺用紙がセットされるように制御することで、別画像除去後の長尺用紙セットを容易に行うことができ、通常の画像形成の途中で別画像の画像形成を実行しても、確実に別画像を排紙側に巻き取らないようにすることが可能になる。
【００３６】
（１３）以上の（１２）において、別画像が形成された領域が除かれた後続の長尺用紙の先端が前記排紙装置にセットされた場合に、給紙装置による給紙及び画像形成装置による画像形成並びに排紙装置による巻き取りを再開するよう制御することで、別画像が除去されてセットされた状態の長尺用紙を使用して通常の画像形成動作が可能になり、通常の画像形成の途中で別画像の画像形成を実行しても、確実に別画像を排紙側に巻き取らないようにすることが可能になる。
【図面の簡単な説明】
【００３７】
【図１】本発明の実施形態の画像形成システムの構成を示す構成図である。
【図２】本発明の実施形態の画像形成システムの構成を示す構成図である。
【図３】本発明の実施形態の画像形成システムの構成を示す構成図である。
【図４】本発明の実施形態の動作を示すフローチャートである。
【図５】本発明の実施形態の画像形成の様子を模式的に示す説明図である。
【図６】本発明の実施形態の画像形成の様子を模式的に示す説明図である。
【図７】本発明の実施形態の表示画面例を示す説明図である。
【図８】本発明の実施形態の表示画面例を示す説明図である。
【図９】本発明の実施形態の動作を示すフローチャートである。
【図１０】本発明の実施形態の画像形成の様子を模式的に示す説明図である。
【図１１】本発明の実施形態の画像形成の様子を模式的に示す説明図である。
【図１２】本発明の実施形態の画像形成の様子を模式的に示す説明図である。
【図１３】本発明の実施形態の表示画面例を示す説明図である。
【図１４】本発明の実施形態の動作を示すフローチャートである。
【図１５】本発明の実施形態の画像形成の様子を模式的に示す説明図である。
【図１６】本発明の実施形態の画像形成の様子を模式的に示す説明図である。
【図１７】本発明の実施形態の画像形成の様子を模式的に示す説明図である。
【図１８】本発明の実施形態の画像形成の様子を模式的に示す説明図である。
【図１９】本発明の実施形態の表示画面例を示す説明図である。
【図２０】本発明の実施形態の表示画面例を示す説明図である。
【発明を実施するための形態】
【００３８】
以下、図面を参照して、画像形成装置及び画像形成システム並びに画像形成制御プログラムにおいて、ロール状の長尺用紙を用いて給紙と画像形成と排紙（巻き取り）とを実行する際に、通常の画像形成の途中で別画像の画像形成を実行したとしても、別画像を排紙側に巻き取らないようにすることが可能な実施形態を詳細に説明する。
【００３９】
なお、画像形成装置１００や画像形成システムの動作が画像形成制御方法である。また、画像形成装置１００や画像形成システムの動作を制御する制御部１０１の制御は、画像形成制御プログラムに基づいて行われる。
〔画像形成システムの構成〕
ここで、給紙装置５０と画像形成装置１００と排紙装置２００とがセットされた画像形成システムの構成例を、図１と図２と図３に基づいて詳細に説明する。
【００４０】
ここで、給紙装置５０と画像形成装置１００と排紙装置２００とがセットされた画像形成システムは、ネットワーク１を介して、ジョブデータを生成するコンピュータ（ＰＣ）１０と情報交換が可能に構成されている（図３参照）。
また、長尺用紙に画像形成する本実施形態の画像形成システムに対して、長尺用紙に断裁処理などの後処理を施す後処理装置３００が、オンライン接続、ニアライン又はオフライン配置されている（図３参照）。
【００４１】
給紙装置５０は、制御部５１と、通信部５２と、ロール給紙部５５と、給紙調整部５６と、搬送部５８と、センサ５９と、を備えて構成されている。制御部５１は、後述する制御部１０１の指示に基づいて、給紙装置５０内の各部を制御する。通信部５２は、セットされている画像形成装置１００等の他の装置と通信する。
【００４２】
ロール給紙部５５は、用紙ロールから長尺用紙を画像形成装置１００に向けて給紙する。
給紙調整部５６は、ロール給紙部５５から給紙される用紙の張り具合や弛み具合を調整しつつ、搬送速度の変動を吸収する。
【００４３】
搬送部５８は、給紙装置５０内で用紙を搬送する。センサ５９は、用紙搬送に関して各種状態を検知する。
画像形成装置１００は、制御部１０１と、通信部１０２と、プリントコントローラ１０３と、記憶部１０４と、操作表示部１０５と、画像形成搬送部１０７と、センサ１０９と、原稿読取部１１０と、ＲＩＰ処理部１２０と、データ記憶部１３０と、画像処理部１４０と、画像形成部１５０と、定着部１６０と、を備えて構成されている。
【００４４】
制御部１０１は、画像形成装置１００内の各部を制御する。なお、この制御部１０１は、画像形成装置１００外部の制御装置として存在していても良い。通信部１０２は、セットされている他の装置（外部機器や給紙装置５０や排紙装置２００等）と通信する。プリントコントローラ１０３は、外部機器からページ記述言語で記述されたジョブデータを受信して必要に応じて記憶する。記憶部１０４は、各種設定を記憶する。
【００４５】
操作表示部１０５は、利用者による操作入力の受け付けと画像形成装置１００の状態表示とを行う。画像形成搬送部１０７は、装置内で用紙を搬送する。センサ１０９は、画像形成と用紙搬送に関して各種状態を検知する。原稿読取部１１０は、撮像素子により原稿の画像を読み取って原稿画像データを生成する。
【００４６】
ＲＩＰ処理部１２０は、プリントコントローラが受信したページ記述言語で記述されたＲＩＰ処理前のジョブデータに対してＲＩＰ処理を実行し、画像形成可能なビットマップ形式の画像データに変換する。データ記憶部１３０は、画像形成する際の画像データや各種データを記憶する。
【００４７】
なお、データ記憶部１３０は、画像データを受け入れる読込用画像メモリと、受け入れた画像データを画像形成用に出力するプリント用画像メモリと、を備えて構成されている。画像処理部１４０は、画像形成に必要な各種画像処理を実行する。
画像形成部１５０は、画像形成命令と、データ記憶部１３０内のプリント用画像メモリに格納された画像データとに基づいて用紙上に画像を形成する。定着部１６０は、用紙上に形成されたトナーによる画像を熱と圧力とで安定させる。
【００４８】
排紙装置２００は、制御部２０１と、通信部２０２と、切断部２０３と、排紙調整部２０５と、搬送部２０６と、ロール排紙部２０８と、センサ２０９と、を備えて構成されている。制御部２０１は、制御部１０１の制御に基づいて、排紙装置２００内の各部を制御する。通信部２０２は、セットされている画像形成装置１００等の他の装置と通信する。切断部２０３は、所定位置で長尺用紙を切断する。排紙調整部２０５は、画像形成装置１００から排紙される用紙の張り具合を調整しつつ搬送速度の変動を吸収する。搬送部２０６は、排紙装置２００内で用紙を搬送する。ロール排紙部２０８は、画像形成装置１００からの長尺用紙をロール形状に巻き取りつつ、用紙ロールとして排紙する。センサ２０９は、用紙搬送に関して各種状態を検知する。
【００４９】
なお、図３において、切断部２０３を示していないが、長尺用紙を切断する各種の構成が可能である。なお、切断部２０３は、画像形成装置１００の定着部１６０以降であって、ロール排紙部２０８以前であれば、どの位置に配置されていても良い。例えば、画像形成装置１００の内部であって定着部１６０の後であったり、あるいは、画像形成装置１００と排紙装置２００との中間で独立した装置であっても良い。
【００５０】
また、図１及び図３に示していないが、別画像領域が切断された後続の長尺用紙の先端を排紙装置２００にセットする接続部、あるいは、別画像領域が切断された後続の長尺用紙の先端を排紙装置２００内に残っている用紙に接続する接続部が存在していても良い。
また、図１と図２では、給紙装置５０，画像形成装置１００，排紙装置２００による画像形成システムとして、長尺用紙を扱う場合を具体例として示している。ここで、長尺用紙とは、定型サイズの用紙よりも搬送方向の用紙長が長い用紙を意味している。また、図２において、画像形成部１５０として複数色で画像形成を行うものを示しているが、これに限定されず、モノクロの画像形成を行う画像形成部１５０であっても良い。
【００５１】
なお、給紙や画像形成や排紙に関しては各種の構造が考えられるため、図１〜図３では一例を示しており、この具体例に示される構成や形態に限定されるものではない。
なお、実行中のジョブの画像データを「通常の画像データ」又は「通常画像データ」、通常画像データに基づく画像形成を「通常の画像形成」又は「通常画像形成」、通常画像形成により形成される画像を「通常の画像」又は「通常画像」と呼ぶ。
【００５２】
一方、通常画像データに基づいて通常画像を形成する通常画像形成の途中で、調整やサンプル出力や割り込み画像形成の目的で使用される画像データを「別画像データ」、別画像データに基づく画像形成を「別画像形成」、別画像データに基づいて形成される画像を「別画像」と呼ぶ。
【００５３】
なお、調整とは、一定周期毎に、調整チャートを出力して、その調整チャートを測定することで、画像形成濃度や画像形成位置を適正に保つための動作である。また、サンプル出力とは、次に実行する予定のジョブについて、少数部数を見本として出力するために実行される動作である。割り込み画像形成とは、急ぎの少数部数を優先的に出力するために実行される動作である。
【００５４】
この実施形態では、調整やサンプル出力や割り込み画像形成などが通常画像形成の途中に入ることを「割り込み」と表現する。
ここで、本実施形態における制御部１０１の制御は、大まかに以下のようになっている。
【００５５】
制御部１０１は、後述するように、長尺用紙を一定速度で搬送しつつ画像データに基づいて画像形成するように給紙装置５０と画像形成装置１００と排紙装置２００とを制御し、通常の画像データに基づく画像形成の途中で通常の画像データ以外の別画像データを用いて別画像の画像形成を実行する際には長尺用紙の搬送を一時停止させるよう制御し、前記長尺用紙の搬送の一時停止状態において前記別画像が形成された領域が切断されるように制御する。
【００５６】
制御部１０１は、別画像データを用いて別画像の画像形成を実行した場合に、長尺用紙に別画像が形成された領域が排紙装置２００に巻き取られる前に排紙装置２００での長尺用紙の巻き取りを停止するよう制御する。
制御部１０１は、別画像データを用いて別画像の画像形成を実行した場合に、長尺用紙に別画像が形成された領域が排紙装置２００に巻き取られる前に排紙装置２００での長尺用紙の巻き取りを停止するように制御すると共に、長尺用紙に別画像が形成された領域が画像形成装置１００の外に出るように長尺用紙の搬送を制御する。
【００５７】
制御部１０１は、長尺用紙に別画像が形成された領域が画像形成装置１００の外に出た状態で長尺用紙の搬送を一時停止させるように、長尺用紙の搬送を制御する。
制御部１０１は、別画像が形成された領域を除去するよう促す表示、又は、別画像が形成された領域が除去されたか否かの確認の表示、の少なくとも一方の表示を、操作表示部１０５、又は、他の装置の表示部、他の表示装置のいずれかに行う。
【００５８】
長尺用紙を切断する切断部２０３を備える場合に、制御部１０１は、長尺用紙の搬送を一時停止させた状態で長尺用紙に別画像が形成された領域の先端側の端部を切断すると共に、長尺用紙の搬送を一時停止させた状態で長尺用紙に別画像が形成された領域の後端側の端部を切断するように、切断部２０３を制御する。
【００５９】
制御部１０１は、別画像データを用いて別画像の画像形成を実行した場合に一時停止した長尺用紙の搬送を一時的に再開し、別画像が形成された領域が除かれた後続の長尺用紙の先端を前記排紙装置にセットするのに必要な長さの長尺用紙を、画像形成装置１００の外に出した状態にしてから長尺用紙の搬送を再び一時停止させ、長尺用紙の搬送の一時停止状態において長尺用紙がセットされるように制御する。
【００６０】
制御部１０１は、別画像の領域が除かれた長尺用紙をセットするよう促す表示、又は、別画像の領域が除かれた長尺用紙がセットされたか否かの確認の表示、の少なくとも一方の表示を操作表示部１０５、又は、他の装置の表示部、他の表示装置のいずれかに行う。
切断された後続の長尺用紙の先端を前記排紙装置にセットする接続部を備える場合に、制御部１０１は、別画像の領域が除かれた後続の長尺用紙の先端を前記排紙装置２００にセットするように接続部を制御する。
【００６１】
制御部１０１は、別画像が形成された領域が除かれた後続の長尺用紙の先端が前記排紙装置にセットされた場合に、給紙装置５０による給紙及び画像形成装置１００による画像形成並びに排紙装置２００による巻き取りを再開するよう制御する。
〔本実施形態の動作（１）〕
以下、図４のフローチャートと、図１０及び図１１の画像形成状態模式図を参照して、本実施形態の動作（１）の説明を行う。
【００６２】
まず、制御部１０１は実行するジョブの種類を判定する（図４中のステップＳ１０１）。ここで、ジョブの種類として、出力結果物を得る目的の通常の画像データに基づく通常の画像（通常画像）を長尺用紙上に形成する通常画像形成、調整用やサンプル出力用などの別画像データに基づいて別画像を形成する別画像形成、の二種類を想定している。
【００６３】
実行するジョブが通常画像形成であれば（図４中のステップＳ１０１で「通常画像」）、給紙装置５０による長尺用紙の給紙、画像形成部１５０による長尺用紙への通常画像の画像形成、排出装置２００による長尺用紙の巻き取り、を実行するよう制御部１０１が各部を制御する（図４中のステップＳ１０２）。
【００６４】
なお、制御部１０１は、この通常画像形成の際に、調整用画像形成やサンプル出力などの割り込み発生の有無を監視している（図４中のステップＳ１０３）。この割り込みとしては、調整用画像形成、サンプル出力画像形成、割り込み画像形成、などが該当する。
割り込みが発生していなければ（図４中のステップＳ１０３でＮＯ）、実行中のジョブが完了するまで、給紙と画像形成と排紙（巻き取り）とを実行するよう、制御部１０１が各部を制御する（図４中のステップＳ１０２、Ｓ１０３、Ｓ１０５）。ジョブの実行が完了すれば（図４中のステップＳ１０５でＹＥＳ）、制御部１０１は、給紙と画像形成と排紙（巻き取り）とを停止するよう各部を制御する（図４中のステップＳ１０６、エンド）。
【００６５】
一方、割り込みが発生すれば（図４中のステップＳ１０３でＹＥＳ）、制御部１０１は、実行するジョブの種類を通常画像形成から別画像形成に切り替えて（図４中のステップＳ１０４）、ジョブ種判定（図４中のステップＳ１０１）に戻る。
実行するジョブが別画像形成であれば（図４中のステップＳ１０１で「別画像」）、給紙装置５０による長尺用紙の給紙、画像形成部１５０による長尺用紙への別画像の画像形成、先行する通常画像が形成された領域（通常画像領域）の排出装置２００による長尺用紙の巻き取り、を実行するよう制御部１０１が各部を制御する（図４中のステップＳ１０７）。
【００６６】
また、制御部１０１は、この別画像形成を実行（図４中のステップＳ１０７）しつつ、長尺用紙上の先行する通常画像形成による通常画像領域と、長尺用紙上の別画像形成による別画像領域と、の排出装置２００への搬送状況を監視している（図４中のステップＳ１０８）。
【００６７】
ここで、排紙装置２００内のロール排紙部２０８により長尺用紙上の通常画像領域Ｇ１が巻き取られ、それに続いて、長尺用紙上の別画像領域Ｇ２の先端が巻き取られる位置（図５中のｐｔ１）に達すると（図４中のステップＳ１０８でＹＥＳ）、制御部１０１は、排紙装置２００内のロール排紙部２０８の巻き取り動作を停止させる（図４中のステップＳ１０９）。すなわち、制御部１０１は、別画像領域が排紙装置２００内の排紙部に２０８に巻き取られる前に、巻き取り動作を停止させるように制御する。なお、以上の別画像形成領域Ｇ２の先端が巻き取られる位置に達するか否かについては、センサ２０９を用いても良いし、別画像形成の転写タイミングと長尺用紙の搬送速度とから計算により求めても良い。
【００６８】
また、制御部１０１は、排紙装置２００での巻き取り動作を停止と共に、画像形成部１５０での別画像形成を停止させる。但し、制御部１０１は、長尺用紙の給紙と搬送とを続行するように各部を制御する。
また、制御部１０１は、以上のように排紙装置２００での巻き取り動作を停止させた状態において長尺用紙の給紙と搬送とを続行させつつ、長尺用紙上の別画像領域Ｇ２の後端が、画像形成装置１００の外部に出たか否かを監視している（図４中のステップＳ１１０）。なお、この監視はセンサ１０９を用いても良いし、別画像形成の転写タイミングと長尺用紙の搬送速度とから計算により求めても良い。
【００６９】
ここで、長尺用紙上の別画像領域Ｇ２の後端が、画像形成装置１００の外部位置（図６中のｐｔ２）に達すると（図４中のステップＳ１１０でＹＥＳ）、制御部１０１は、長尺用紙の給紙と搬送とを停止させる（図４中のステップＳ１１１）。すなわち、制御部１０１は、別画像領域が画像形成装置１００の外に出た状態で、長尺用紙の搬送を一時停止させるように制御する。
【００７０】
ここで、制御部１０１は、操作表示部１０５の表示画面１０５Ｇのメッセージ表示欄１０５Ｇａに「別画像を出力しました  別画像部分を切断してください」（図７参照）といった、切断をユーザに促すメッセージを表示する（図４中のステップＳ１１３）ことで、ユーザに対して別画像領域Ｇ２の切断（切除）を促す。
【００７１】
このような表示欄１０５Ｇにおけるメッセージを見たユーザは、手動で、又は、切断部２０３を用いて、ｐｔ１とｐｔ２の位置で用紙を切断し、別画像領域Ｇ２を取り除く。
また、制御部１０１は、一定時間後に、操作表示部１０５の表示画面１０５Ｇにポップアップ画面１０５Ｇｂとして「別画像領域の切断は完了しましたか  ［はい］［いいえ］」といった確認メッセージ（図８参照）を表示する（図４中のステップＳ１１４）。
【００７２】
すなわち、制御部１０１は、操作表示部１０５での表示画面を用いてユーザに別画像領域の切断を促すことにより、長尺用紙の搬送の一時停止状態において、別画像が形成された領域が切断されるように制御している。
ここで、制御部１０１は、上述した確認メッセージに対して承認を示す［はい］を選択する操作が操作表示部１０５においてユーザからなされるまで待機し（図４中のステップＳ１１４でＮＯ）、ユーザから承認を示す［はい］を選択する操作が操作表示部１０５においてなされた時点で（図４中のステップＳ１１４でＹＥＳ）、後述する再開処理を実行（図４中のステップＳ１１５）するように各部を制御する。
【００７３】
なお、この再開処理により、切断された後続の長尺用紙を排紙装置２００にセットし、通常画像形成に戻り、残っているジョブの画像形成を完了させる。そして、制御部１０１は、再開した通常画像形成の完了により以上の処理を終了する（図４中のエンド）。
なお、排紙装置２００でのセンサ２０９が別画像領域Ｇ２の切除を検知可能な場合には、センサ２０９の検知結果を受けて、制御部１０１が再開処理（図４中のステップＳ１１５）に進むように各部を制御しても良い。
【００７４】
以上のように、通常画像形成の途中で別画像データを用いて別画像の画像形成を実行する際に長尺用紙の搬送を一時停止させるよう制御することで、通常の画像形成の途中で別画像の画像形成を実行しても、別画像を排紙側に巻き取らないようにすることが可能になる。
【００７５】
また、別画像データを用いて別画像の画像形成を実行した場合に、長尺用紙に別画像領域Ｇ２が排紙装置２００に巻き取られる前に排紙装置２００での長尺用紙の巻き取りを停止するよう制御することで、通常の画像形成の途中で別画像の画像形成を実行しても、確実に別画像を排紙側に巻き取らないようにすることが可能になる。
【００７６】
また、別画像データを用いて別画像の画像形成を実行した場合に、長尺用紙に別画像領域Ｇ２が排紙装置２００に巻き取られる前に排紙装置２００での長尺用紙の巻き取りを停止するように制御すると共に、別画像領域Ｇ２が画像形成装置１００の外に出るように長尺用紙の搬送を制御することで、通常の画像形成の途中で別画像の画像形成を実行しても、確実に別画像を排紙側に巻き取らないようにすることが可能になる。
【００７７】
また、別画像領域Ｇ２が画像形成装置１００の外に出た状態で長尺用紙の搬送を一時停止させることで、通常の画像形成の途中で別画像の画像形成を実行しても、確実に別画像を排紙側に巻き取らないようにすることが可能になる。
また、別画像が形成された領域を除去するよう促す表示（図７）、又は、別画像が形成された領域が除去されたか否かの確認の表示（図８）、の少なくとも一方の表示を操作表示部１０５に行うことで、ユーザが別画像を除去することが可能になり、通常の画像形成の途中で別画像の画像形成を実行しても、確実に別画像を排紙側に巻き取らないようにすることが可能になる。
【００７８】
なお、別画像が形成された領域を除去するよう促す表示（図７）、別画像が形成された領域が除去されたか否かの確認の表示（図８）、を１つの表示画面の表示としても良い。
また、長尺用紙を切断する切断部２０３を備えた場合に、別画像領域の先端と後端とで搬送を一時停止させた状態にして、切断（切除）するように切断部２０３を制御することで、別画像を除去することが可能になり、通常の画像形成の途中で別画像の画像形成を実行しても、確実に別画像を排紙側に巻き取らないようにすることが可能になる。すなわち、切断部２０３が存在する場合には、制御部１０１は、操作表示部１０５での表示画面でユーザに切断を促す代わりに、切断部２０３を制御することにより、別画像が形成された領域が切断されるように制御している。
【００７９】
〔本実施形態の動作（２）〕
以下、図９のフローチャートと、図１０及び図１１の画像形成状態模式図を参照して、本実施形態の動作（２）の説明を行う。なお、図９において、既に説明した図４と同一処理には同一ステップ番号を付すことで重複した説明を簡略化する。
【００８０】
また、この実施形態の動作（２）では、切断部２０３が、画像形成装置１００の定着部１６０以降であって、ロール排紙部２０８以前の、いずれかの位置に配置されているとする（図１０参照）。
まず、制御部１０１は実行するジョブの種類を判定する（図９中のステップＳ１０１）。実行するジョブが通常画像形成であれば（図９中のステップＳ１０１で「通常画像」）、給紙装置５０による長尺用紙の給紙、画像形成部１５０による長尺用紙への通常画像の画像形成、排出装置２００による長尺用紙の巻き取り、を実行するよう制御部１０１が各部を制御する（図９中のステップＳ１０２）。
【００８１】
また、制御部１０１は、この通常画像形成の際に、調整用画像形成やサンプル出力などの割り込み発生の有無を監視している（図９中のステップＳ１０３）。割り込みが発生していなければ（図９中のステップＳ１０３でＮＯ）、実行中のジョブが完了するまで、給紙と画像形成と排紙（巻き取り）とを実行するよう、制御部１０１が各部を制御する（図９中のステップＳ１０２、Ｓ１０３、Ｓ１０５）。ジョブの実行が完了すれば（図９中のステップＳ１０５でＹＥＳ）、制御部１０１は、給紙と画像形成と排紙（巻き取り）とを停止するよう各部を制御する（図９中のステップＳ１０６、エンド）。
【００８２】
一方、割り込みが発生すれば（図９中のステップＳ１０３でＹＥＳ）、制御部１０１は、実行するジョブの種類を通常画像形成から別画像形成に切り替えて（図９中のステップＳ１０４）、ジョブ種判定（図９中のステップＳ１０１）に戻る。
実行するジョブが別画像形成であれば（図９中のステップＳ１０１で「別画像」）、制御部１０１は、画像形成を実行しない状態で給紙と搬送と排紙（巻き取り）とを実行するよう各部を制御し、先行する通常画像が形成された領域（通常画像領域）全てが画像形成装置１００の外に出ているかを判断する（図９中のステップＳ１２１）。
【００８３】
先行する通常画像領域の後端まで画像形成装置１００の外に出ていなければ（図９中のステップＳ１２１でＮＯ）、制御部１０１は、通常画像領域の後端が画像形成装置１００の外に出るまで、画像形成を実行しない状態で給紙と搬送と排紙（巻き取り）とを実行するよう各部を制御する（図９中のステップＳ１２２）。
【００８４】
先行する通常画像領域の後端まで画像形成装置１００の外に出ていれば（図９中のステップＳ１２１でＹＥＳ）、制御部１０１は、給紙と搬送と排紙（巻き取り）とを一時停止するよう各部を制御する（図９中のステップＳ１２３）。なお、この一時停止としては、先行する通常画像領域の後端が、切断部２０３の上流側に位置するように制御部１０１が上述した搬送と一時停止とを制御する。そして、制御部１０１は、先行する通常画像領域の後端の位置で長尺用紙を切断するように、切断部２０３を制御する（図９中のステップＳ１２４、図１０参照）。すなわち、図１０に示すように、通常画像領域Ｇ１の後端を切断部２０３で切断する。
【００８５】
ここで、制御部１０１は、長尺用紙上に別画像データに基づいた画像形成を実行するよう、給紙装置５０と画像形成部１５０と画像形成搬送部１０７とを制御する（図９中のステップＳ１２５）。図１１において、長尺用紙に別画像領域Ｇ２が形成され始める。
別画像形成（図９中のステップＳ１２５）が完了すれば、制御部１０１は、画像形成を実行しない状態で給紙と搬送とを実行するよう各部を制御し、別画像領域全てが画像形成装置１００の外に出ているかを判断する（図９中のステップＳ１２６）。別画像領域の後端まで画像形成装置１００の外に出ていなければ（図９中のステップＳ１２６でＮＯ）、制御部１０１は、別画像領域の後端が画像形成装置１００の外に出るまで、画像形成を実行しない状態で給紙と搬送とを実行するよう各部を制御する（図９中のステップＳ１２７）。
【００８６】
別画像領域の後端まで画像形成装置１００の外に出ていれば（図９中のステップＳ１２６でＹＥＳ）、制御部１０１は、給紙と搬送とを一時停止するよう各部を制御する（図９中のステップＳ１２８）。なお、この一時停止としては、別画像領域の後端が、切断部２０３の上流側に位置するように制御部１０１が上述した搬送と一時停止とを制御する。そして、制御部１０１は、別画像領域の後端の位置で長尺用紙を切断するように、切断部２０３を制御する（図９中のステップＳ１２９、図１２参照）。すなわち、図１２に示すように、別画像領域Ｇ２の後端を切断部２０３で切断する。
【００８７】
なお、以上の別画像形成領域Ｇ２の後端が切断位置に達するか否かについては、センサ１０９やセンサ２０９を用いても良いし、別画像形成の転写タイミングと長尺用紙の搬送速度とから計算により求めても良い。
ここで、制御部１０１は、操作表示部１０５の表示画面１０５Ｇのメッセージ表示欄１０５Ｇａに「別画像を出力し、切断しました  別画像を取り除いてください」といった、切断をユーザに促すメッセージ（図１３中の１０５Ｇａ’）を表示しても良い。
【００８８】
ここで、制御部１０１は、後述する再開処理を実行（図９中のステップＳ１３０）するように各部を制御する。なお、この再開処理により、別画像領域が切断された後続の長尺用紙の先端を排紙装置２００にセットし、通常画像形成に戻り、残っているジョブの画像形成を完了させる。そして、制御部１０１は、再開した通常画像形成の完了により以上の処理を終了する（図９中のエンド）。
【００８９】
以上のように、長尺用紙を切断する切断部２０３を備えた場合に、別画像領域の先端（通常画像の後端）と別画像領域の後端（後続する長尺用紙の先端）とで搬送を一時停止させた状態にして、別画像領域を切断（切除）するように切断部２０３を制御することで、別画像を除去することが可能になり、通常の画像形成の途中で別画像の画像形成を実行しても、確実に別画像を排紙側に巻き取らないようにすることが可能になる。
【００９０】
なお、図１１と図１２において、別画像領域Ｇ２が存在しており切断された用紙の前半部分には別画像が形成されていない領域が存在する例を示している。しかし、可能であれば、通常画像領域の後端に続いて別画像の画像形成を開始するようにしても良い。同様に、別画像領域の後端に続いて通常画像の画像形成を再開するようにしても良い。
【００９１】
また、図１１と図１２において、別画像領域Ｇ２を排紙装置２００内で通常とは別の経路に搬送しても良いが、排紙装置２００の外部に別画像領域Ｇ２を排出するようにしても良い。
また、切断部２０３が画像形成装置１００と排紙装置２００との中間に存在する場合には、別画像領域Ｇ２を排紙装置２００に入れずに、外部に向けて排紙することも可能である。
【００９２】
〔本実施形態の動作（３）〕
以下、図１４のフローチャートと、図１５及び図１６の画像形成状態模式図を参照して、本実施形態の動作（３）の説明を行う。この実施形態の動作（３）としては、別画像形成の後の通常画像形成の再開に関連している。
【００９３】
まず、制御部１０１は実行するジョブの種類を判定する（図１４中のステップＳ２０１）。
実行するジョブ種が別画像形成であれば（図１４中のステップＳ２０１で「別画像」）、制御部１０１は、長尺用紙に別画像を形成し、形成された別画像領域を切断し、切断された別画像領域が除去されるように制御する（図１４中のステップＳ２０２）。なお、ステップＳ２０２の別画像形成と切断と除去とについては、実施形態の動作（１）と実施形態の動作（２）で説明した通りである。
【００９４】
一方、実行するジョブ種が通常画像形成であれば（図１４中のステップＳ２０１で「通常画像」）、直前に実行したジョブ種が通常画像形成であるか別画像形成であるかを判定する（図１４中のステップＳ２０３）。
実行するジョブ種が通常画像形成であって直前に実行したジョブ種も通常画像形成であれば（図１４中のステップＳ２０３で「通常画像」）、給紙装置５０による長尺用紙の給紙、画像形成部１５０による長尺用紙への通常画像の画像形成、排出装置２００による長尺用紙の巻き取り、を実行するよう制御部１０１が各部を制御する（図１４中のステップＳ２０４）。
【００９５】
また、制御部１０１は、この通常画像形成の際に、調整用画像形成やサンプル出力などの割り込み発生の有無を監視している（図１４中のステップＳ２０５）。割り込みが発生していなければ（図１４中のステップＳ２０５でＮＯ）、実行中のジョブが完了するまで、給紙と画像形成と排紙（巻き取り）とを実行するよう、制御部１０１が各部を制御する（図１４中のステップＳ２０４、Ｓ２０５、Ｓ２０７）。そのままジョブの実行が完了すれば（図１４中のステップＳ２０７でＹＥＳ）、制御部１０１は、給紙と画像形成と排紙（巻き取り）とを停止するよう各部を制御する（図１４中のステップＳ２１１、エンド）。
【００９６】
一方、割り込みが発生すれば（図１４中のステップＳ２０５でＹＥＳ）、制御部１０１は、実行するジョブの種類を通常画像形成から別画像形成に切り替えて（図１４中のステップＳ２０６）、ジョブ種判定（図１４中のステップＳ２０１）に戻る。
一方、実行するジョブ種が通常画像形成であって直前に実行したジョブ種が別画像形成であれば（図１４中のステップＳ２０３で「別画像」）、以下に説明する再開処理を実行する。なお、以下に述べる再開処理が、図９中のステップＳ１３０、図４中のステップＳ１１５の再開処理の詳細に相当する。
【００９７】
ここで、実行するジョブ種が通常画像形成であって、直前に実行したジョブ種が別画像形成である場合とは、通常画像形成の途中で割り込みが発生し、別画像形成が実行され、別画像領域が切断され除去された状態である。
この場合、図１５のように、除去された別画像領域（図１５中の破線）に先行する通常画像領域の長尺用紙Ｇ１の後端と、除去された別画像領域（図１５中の破線）の後に続いて通常画像形成がなされるべき長尺用紙Ｇ１’の先端とが、切断されて離れた状態になっている。
【００９８】
又は、図１６のように、除去された別画像領域に先行する通常画像領域の長尺用紙Ｇ１も取り外されている場合もある。
そこで、通常画像形成がなされるべき長尺用紙Ｇ１’の先端をロール排紙部２０８にセット可能なように、必要な長さの長尺用紙Ｇ１’を搬送するように、制御部１０１は、給紙装置５０と画像形成搬送部１０７とを制御する（図１４中のステップＳ２０８）。
【００９９】
なお、この際に搬送すべき長尺用紙Ｇ１’の長さついては、別画像領域を切断した位置や、排紙調整部２０５の寸法や、ロール排紙部２０８の用紙残存状況などから、制御部１０１が算出することができる。なお、ここで搬送した長尺用紙Ｇ１’については、図１７や図１８のように排紙調整部２０５内に弛ませるようにしても良いし、図示されない専用の搬送経路やガイドで案内するようにしておいても良い。
【０１００】
なお、図１７は、ロール排紙部２０８に長尺用紙Ｇ１’の先端をセットする状態として、別画像領域に先行する通常画像領域の長尺用紙Ｇ１が残っていて当該長尺用紙Ｇ１の後端に後続長尺用紙Ｇ１’の先端を接続する場合である。この場合、接続は、糊付け、テープ接着など各種の手法を用いることができる。
【０１０１】
また、図１８は、別画像領域に先行する通常画像領域の長尺用紙Ｇ１が取り外されていてロール排紙部２０８のロールに後続長尺用紙Ｇ１’の先端を直接接続する場合である。この場合、ロール排紙部２０８に直接セットするため、図１７よりも接続するために必要とされる領域が長くなっている。この場合のセットとしては、用紙止め部への長尺用紙Ｇ１’の挟み込み、糊やテープを使用した接着など各種の手法を用いることができる。
【０１０２】
ここで、制御部１０１は、操作表示部１０５の表示画面１０５Ｇのメッセージ表示欄１０５Ｇｃに「別画像出力後の通常画像形成です。後続の長尺用紙が搬送されました。排紙ローラに用紙をセットしてください。」（図１９参照）といった、用紙セットをユーザに促すメッセージを表示する（図１４中のステップＳ２０９）ことで、ユーザに対して長尺用紙Ｇ１’のセットを促す。
【０１０３】
このような表示欄１０５Ｇにおけるメッセージを見たユーザは、手動で長尺用紙Ｇ１’をロール排紙部２０８のロールに直接セットするか、あるいは、先行する長尺用紙Ｇ１の後端に長尺用紙Ｇ１’の先端を接続する。
また、制御部１０１は、一定時間後に、操作表示部１０５の表示画面１０５Ｇにポップアップ画面１０５Ｇｄとして「用紙のセットは完了しましたか  ［はい］［いいえ］」といった確認メッセージ（図２０参照）を表示する（図１４中のステップＳ２１０）。
【０１０４】
すなわち、制御部１０１は、操作表示部１０５での表示画面を用いてユーザに後続の長尺用紙Ｇ１’のセットを促すことにより、長尺用紙の搬送の一時停止状態において、通常画像形成の準備が実行されるように制御している。
なお、用紙をセットするよう促す表示（図１９）、用紙がセットされたかの確認の表示（図２０）、を１つの表示画面の表示としても良い。
【０１０５】
ここで、制御部１０１は、上述した確認メッセージに対して承認を示す［はい］を選択する操作が操作表示部１０５においてユーザからなされるまで待機し（図１４中のステップＳ２１０でＮＯ）、ユーザから承認を示す［はい］を選択する操作が操作表示部１０５においてなされた時点で（図１４中のステップＳ２１０でＹＥＳ）、通常画像形成を実行（図１４中のステップＳ２０４）するように各部を制御する。
【０１０６】
なお、このようにして再開した通常画像形成処理により、残っているジョブの画像形成を完了させる。そして、制御部１０１は、再開した通常画像形成の完了により以上の処理を終了する（図１４中のエンド）。
なお、図示されない接続部を排紙装置２００内に備える場合は、上述した表示をすることなく、制御部１０１が接続部を用いて後続の長尺用紙Ｇ１’をセットしても良い。
【０１０７】
また、排紙装置２００でのセンサ２０９が後続の長尺用紙Ｇ１’のセットを検知可能な場合には、センサ２０９の検知結果を受けて、制御部１０１が通常画像形成を再開（図１４中のステップＳ２１０でＹＥＳ、Ｓ２０４）させるように各部を制御しても良い。
以上のように、別画像データを用いて別画像の画像形成を実行した場合に一時停止した長尺用紙の搬送を一時的に再開し、別画像が形成された領域が除かれた後続の長尺用紙の先端を排紙装置２００にセットするのに必要な長さの長尺用紙を、画像形成装置１００の外に出した状態にしてから長尺用紙の搬送を再び一時停止させ、長尺用紙の搬送の一時停止状態において長尺用紙がセットされるように制御することで、別画像を除去した状態の長尺用紙をセットすることが可能になり、通常の画像形成の途中で別画像の画像形成を実行しても、確実に別画像を排紙側に巻き取らないようにすることが可能になる。
【０１０８】
また、別画像の領域が除かれた長尺用紙をセットするよう促す表示、又は、別画像の領域が除かれた長尺用紙がセットされたか否かの確認の表示、の少なくとも一方を行うことで、別画像を除去した状態の長尺用紙をセットすることが可能になり、通常の画像形成の途中で別画像の画像形成を実行しても、確実に別画像を排紙側に巻き取らないようにすることが可能になる。
【０１０９】
また、切断された長尺用紙の先端を排紙装置２００にセットする接続部を備える場合には、別画像の領域が除かれた後続の長尺用紙の先端を排紙装置２００にセットするように接続部を制御することで、別画像を除去した状態の長尺用紙をセットすることが可能になり、通常の画像形成の途中で別画像の画像形成を実行しても、確実に別画像を排紙側に巻き取らないようにすることが可能になる。
【０１１０】
また、別画像が形成された領域が除かれた後続の長尺用紙の先端が排紙装置２００にセットされた場合に、給紙装置による給紙及び画像形成装置１００による画像形成並びに排紙装置による巻き取りを再開するよう制御することで、別画像が除去されてセットされた状態の長尺用紙を使用して通常の画像形成動作が可能になり、通常の画像形成の途中で別画像の画像形成を実行しても、確実に別画像を排紙側に巻き取らないようにすることが可能になる。
【０１１１】
なお、図１７と図１８において、長尺用紙Ｇ１’を排紙装置２００にセットしてから画像形成部１５０で画像形成を開始することが望ましいが、正確な位置制御が可能である場合には、長尺用紙Ｇ１’をセットするために搬送して弛ませている領域に画像形成を行っても構わない。
【符号の説明】
【０１１２】
５０  給紙装置
１００  画像形成装置
２００  排紙装置
【図１】
2016120672.tif 000003
【図２】
2016120672.tif 000004
【図３】
2016120672.tif 000005
【図４】
2016120672.tif 000006
【図５】
2016120672.tif 000007
【図６】
2016120672.tif 000008
【図９】
2016120672.tif 000009
【図１０】
2016120672.tif 000010
【図１１】
2016120672.tif 000011
【図１２】
2016120672.tif 000012
【図１４】
2016120672.tif 000013
【図１５】
2016120672.tif 000014
【図１６】
2016120672.tif 000015
【図１７】
2016120672.tif 000016
【図１８】
2016120672.tif 000017
【図７】
2016120672.tif 000018
【図８】
2016120672.tif 000019
【図１３】
2016120672.tif 000020
【図１９】
2016120672.tif 000021
【図２０】
2016120672.tif 000022